【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
滅菌可能な袋であって、
中に物品を受け入れるための内側空間を有する袋を画定するように、対向する側端縁及び底端縁に沿って互いに接合された可撓性フィルムの前面シート及び背面シートと、
前記前面シート又は前記背面シートの少なくとも一方に形成された開口であって、前記袋の外側環境と前記内側空間との間の連通を提供する開口と、
前記開口上に重なって前記開口を覆っており、前記前面シート又は前記背面シートの外側表面に連続熱封着部によって接合された、微生物を透過させないが気体を透過させる通気性材料であって、コーティングされていない繊維不織布又は医療グレードの紙材料からなる通気性材料と、
前記通気性材料と前記前面シート又は前記背面シートの外側表面との間に選択的に配されて、前記通気性材料が前記前面シート又は前記背面シートの外側表面に封着されることを防止している耐熱性材料とを備え、
前記耐熱性材料は、前記通気性材料が取り付けられる前記フィルムの融解温度よりも高い融解温度を有するポリマー材料を備え、
前記耐熱性材料は、通気性材料の周端縁と前記連続熱封着部との間に配されている、袋。
【請求項２】
前記耐熱性材料が、前記通気性材料の内側表面に取り付けられた接着テープの条片を備える、請求項１に記載の袋。
【請求項３】
前記耐熱性材料が、前記通気性材料と前記袋の前記側端縁の少なくとも一部との間に配されている、請求項１に記載の袋。
【請求項４】
前記通気性材料を接合する前記連続熱封着部は、前記開口の下に配された下部を含むことによって、該下部は前記袋の底端縁側に配され、前記耐熱性材料が、前記下部と前記通気性材料の周端縁との間に配されている、請求項１に記載の袋。
【請求項５】
前記耐熱性材料が、前記袋の対向する側端縁の間に延びている、請求項４に記載の袋。
【請求項６】
前記通気性材料が、前記フィルムに接続されておらず且つ前記連続熱封着部と前記通気性材料の周端縁との間に延びている縁部を含む、請求項１に記載の袋。
【請求項７】
前記縁部が、前記連続綴じ目と周端縁との間に約０．５ｃｍ〜約１５ｃｍ延びており、前記耐熱性材料が、前記縁部に沿って前記通気性材料の内側表面に取り付けられている、請求項６に記載の袋。
【請求項８】
前記コーティングされていない繊維不織布が、スパンボンド不織布又はフラッシュスパンポリエチレンストランドから形成された不織布である、請求項１に記載の袋。
【請求項９】
前記前面シート及び前記背面シートの前記対向する側端縁は、前記袋の側部綴じ目を画定する熱封着部によって互いに接合され、前記通気性材料を前記前面シートの前記外側表面に接合する前記連続熱封着部は、前記側部綴じ目上に少なくとも部分的に重なっており、前記耐熱性材料は、前記通気性材料が前記前面シート又は前記背面シートの前記外側表面に封着されることを防止するように、前記通気性材料と前記側部綴じ目の一部との間に配されている、請求項１に記載の袋。
【請求項１０】
前記前面シート及び前記背面シートのそれぞれが、前記袋の前記内側空間へのアクセス開口を画定するために互いに接続されていない対向する上端縁を含む、請求項１に記載の袋。
【請求項１１】
前記前面シート及び前記背面シートの前記対向する側端縁及び前記底端縁それぞれが、連続熱封着部によって互いに接合されている、請求項１に記載の袋。
【請求項１２】
前記通気性材料は、フラッシュスパンポリエチレンストランドから形成された不織布である、請求項１１に記載の袋。
【請求項１３】
前記前面シート及び前記背面シートの上端縁が、前記袋の内側空間へのアクセス開口を画定するために互いに接続されていない、請求項１１に記載の袋。
【請求項１４】
前記耐熱性材料が、前記袋の対向する側端縁の間に延びている、請求項１１に記載の袋。
【請求項１５】
前記耐熱性材料が、前記袋の対向する側端縁の間に延びておらず、且つ、前記前面シート又は前記背面シートの前記外側表面と前記通気性材料との間の複数の分離した場所に位置している、請求項１１に記載の袋。
【請求項１６】
前記耐熱性材料は、フィルム層及び接着層を有する接着条片を備え、前記接着層が、前記フィルム層を前記通気性材料の内側表面に接合している、請求項１１に記載の袋。
【請求項１７】
前記耐熱性材料が、前記前面シート及び前記背面シートの熱封着可能な表面を形成するポリマーの融解温度よりも高い融解温度を有する、請求項１１に記載の袋。
【請求項１８】
前記耐熱性材料の融解温度が、前記通気性材料を前記前面シートの外側表面に封着するための封着温度よりも高い、請求項１７に記載の袋。
【請求項１９】
滅菌可能な袋を作製する方法であって、
可撓性フィルムの第１シート材料に開口を形成するステップと、
微生物を透過させないが気体を透過させる繊維不織布又は紙材料を含む通気性材料を提供するステップであって、耐熱性材料が前記通気性材料の表面に接合され、前記耐熱性材料は、前記可撓性フィルムの融解温度よりも高い融解温度を有するポリマー材料を備えるステップと、
前記通気性材料が前記開口上に重なり前記開口を覆うように、前記通気性材料を連続熱封着部によって前記第１シート材料の外側表面に添着するステップであって、前記耐熱性材料が、前記第１シートの前記外側表面と前記通気性材料との間及び通気性材料の周端縁と前記連続熱封着部との間に配される、ステップと、
可撓性フィルムの第２シート材料を、内側空間を有する袋を形成するように、複数の側部綴じ目及び底部綴じ目を介して、前記第１シート材料の対向する表面に接合するステップであって、前記耐熱性材料は、前記通気性材料の前記内側表面が前記前面シートの前記外側表面に封着されることを防止している、ステップと、を備える方法。
【請求項２０】
前記第１シート及び前記第２シートそれぞれが、前記袋の内側空間へのアクセス開口を画定するために互いに接続されていない対向する上端縁を含む、請求項１９に記載の方法。
【請求項２１】
前記第１シート及び前記第２シートを互いに接合する前に、前記通気性材料を前記第１シートに添着する、請求項１９に記載の方法。
【請求項２２】
前記第１シート及び前記第２シートを互いに接合した後に、前記通気性材料を前記第１シートに添着する、請求項１９に記載の方法。
【請求項２３】
前記第１シート及び前記第２シートの前記対向する側端縁が、前記袋の側部綴じ目を画定する熱封着部によって互いに接合され、
前記通気性材料を前記第１シートの前記外側表面に接合する前記連続熱封着部は、前記側部綴じ目上に少なくとも部分的に重なり、
前記耐熱性材料は、前記通気性材料が前記前面シート又は前記背面シートの前記外側表面に封着されることを防止するように、前記通気性材料と前記側部綴じ目の一部との間に配されている、請求項１９に記載の方法。
【請求項２４】
前記袋へ物品を導入し、前記第１シートと前記第２シートとの間の綴じ目によって前記袋の開口を封着するステップをさらに備える、請求項１９に記載の方法。
【請求項２５】
前記通気性材料を通して滅菌ガスを前記袋の内側空間に導入するステップをさらに備える、請求項２４に記載の方法。
【請求項２６】
滅菌可能な容器であって、
トレイ型構造に形成された可撓性フィルムのシートであって、該トレイは、滅菌される物品を受け入れる内側空間を画定する底壁及び複数の側壁を有する、シートと、
前記複数の壁それぞれの上部に配され且つ前記トレイの周りに延びている連続するフランジと、
前記容器の前記内側空間上に重なるよう配された通気性材料であって、水蒸気透過性であり且つ水非透過性シート材料であるコーティングされていない繊維不織布又は医療グレードの紙材料からなる、通気性材料と、
前記通気性材料の周端縁に配置され又は隣り合い、前記通気性材料を前記連続するフランジの表面に接合している連続綴じ目と、
前記通気性材料の内側表面と前記フランジの表面との間に選択的に配され、前記通気性材料が前記フランジの表面に封着されることを選択的に防止している耐熱性材料とを備え、
前記耐熱性材料が、前記通気性材料が取り付けられる前記可撓性フィルムのシートの融解温度よりも高い融解温度を有するポリマー材料を備え、
前記耐熱性材料は、通気性材料の周端縁と前記連続綴じ目との間に配されている、容器。